(57)【要約】本発明に係る無線基地局は、受信したオーバーサンプリングされたベースバンド信号を格納する信号格納部と、前記ベースバンド信号の伝送形式を判定する形式判定部と、該形式判定部による判定後に、前記信号格納部に格納されている前記ベースバンド信号を、前記形式判定部により判定された伝送形式に従って逆拡散する逆拡散部とを備える。【特許請求の範囲】
【請求項１】
受信したオーバーサンプリングされたベースバンド信号を格納する信号格納部と、
前記ベースバンド信号の伝送形式を判定する形式判定部と、
該形式判定部による判定後に、前記信号格納部に格納されている前記ベースバンド信号を、前記形式判定部により判定された伝送形式に従って逆拡散する逆拡散部とを備えることを特徴とする無線基地局。
【請求項２】
前記判定された伝送形式に基づいて、前記受信したベースバンド信号の伝送速度の合計値を計算し、該伝送速度の合計値に応じて前記逆拡散を行う前記ベースバンド信号を選択する信号選択部を備え、
前記逆拡散部は、前記信号選択部により選択されたベースバンド信号を逆拡散することを特徴とする請求項１に記載の無線基地局。
【請求項３】
前記信号選択部は、前記伝送速度の合計値が合計値閾値未満である場合、全てのベースバンド信号について逆拡散することを特徴とする請求項２に記載の無線基地局。
【請求項４】
前記伝送速度の合計値に基づいて、前記伝送速度の変更を移動局に指示する伝送速度制御部を備えることを特徴とする請求項２に記載の無線基地局。
【請求項５】
無線基地局が備える受信したオーバーサンプリングされたベースバンド信号を格納する信号格納部の蓄積量を用いることなく、前記無線基地局と移動局との間の干渉量に基づいて、前記移動局に関する呼の受付又は前記ベースバンド信号の伝送速度の少なくとも１つを制御する制御部を備えることを特徴とする無線回線制御局。
【請求項６】
受信したオーバーサンプリングされたベースバンド信号を格納する信号格納部を備え、前記ベースバンド信号の伝送形式を判定し、該判定後に、前記信号格納部に格納されている前記ベースバンド信号を、判定された前記伝送形式に従って逆拡散する無線基地局と、
前記信号格納部の蓄積量を用いることなく、前記無線基地局と移動局との間の干渉量に基づいて、前記移動局に関する呼の受付又は前記ベースバンド信号の伝送速度の少なくとも１つを制御する無線回線制御局とを備えることを特徴とする移動通信システム。
【請求項７】
信号格納部に、受信したオーバーサンプリングされたベースバンド信号を格納し、
前記ベースバンド信号の伝送形式を判定し、
該判定後に、前記信号格納部に格納されている前記ベースバンド信号を、判定された前記伝送形式に従って逆拡散することを特徴とする移動通信方法。
【発明の詳細な説明】
【技術分野】
【０００１】  本発明は、無線基地局、無線回線制御局、移動通信システム及び移動通信方法に関する。
【背景技術】
【０００２】  無線アクセス方式として、ＣＤＭＡ（Ｃｏｄｅ  Ｄｉｖｉｓｉｏｎ  Ｍｕｌｔｉｐｌｅ  Ａｃｃｅｓｓ）を用いる移動通信システムでは、音声通信用の上りリンクにおいて、無音時に、有音時に比べて少ないビット数の情報を送信することや、情報を送信しないことにより、干渉を低減させ、無線チャネル容量の向上を図っている。【０００３】  また、データ通信用の上りリンクにおいても、移動局の送信データが少ない場合に、当該送信データのみを送信することや、データ送信が行われない区間では、制御ビットやパイロットビット以外の送信をオフにすることにより、干渉を低減させ、無線チャネル容量の向上を図っている。【０００４】  具体的には、３ＧＰＰ（３ｒｄ  Ｇｅｎｅｒａｔｉｏｎ  Ｐａｒｔｎｅｒｓｈｉｐ  Ｐｒｏｊｅｃｔ）において、個別チャネルにおける伝送形式が複数規定されている。【０００５】  そのため、従来の無線基地局では、図１に示すように、ＤＰＤＣＨ復号部２２５のＤＰＤＣＨ＃１逆拡散部２２７１乃至ＤＰＤＣＨ＃ｎ逆拡散部２２７ｎが、それぞれ、ベースバンド信号受信の初期段階で、ＤＰＤＣＨ（Ｄｅｄｉｃａｔｅｄ  Ｐｈｙｓｉｃａｌ  Ｄａｔａ  Ｃｈａｎｎｅｌ）により送信されるユーザデータを、上位レイヤにより設定された伝送形式（ＴＦ：Ｔｒａｎｓｐｏｒｔ  Ｆｏｒｍａｔ）のセット（ＴＦＳ：Ｔｒａｎｓｐｏｒｔ  Ｆｏｒｍａｔ  Ｓｅｔ）における最小の拡散率を用いて逆拡散を行うように構成されている。【０００６】  また、ＤＰＤＣＨ＃１逆拡散部２２７１乃至ＤＰＤＣＨ＃ｎ逆拡散部２２７ｎは、逆拡散後のデータを、バッファ２２６に格納するように構成されている。なお、バッファ２２６の容量は、ＤＰＤＣＨ毎に割り当てられている。【０００７】  その後、ＤＰＣＣＨ復号部２２１により、ＤＰＣＣＨ（Ｄｅｄｉｃａｔｅｄ  Ｐｈｙｓｉｃａｌ  Ｃｏｎｔｒｏｌ  Ｃｈａｎｎｅｌ）にマッピングされているＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）が復号された時点で、復号されたＴＦＣＩが示すＴＦが最小の拡散率でない場合には、ＤＰＤＣＨ＃１再逆拡散部２２４１乃至ＤＰＤＣＨ＃ｎ再逆拡散部２２４ｎが、ＴＦＣＩが示すＴＦの拡散率を用いて再逆拡散を行うように構成されている。【０００８】  そして、ＤＰＤＣＨ＃１ＲＡＫＥ合成部２２８１乃至ＤＰＤＣＨ＃ｎＲＡＫＥ合成部２２８ｎが、再逆拡散後の信号をＲＡＫＥ合成するように構成されており、ユーザデータ復号部２２９が、合成後の信号を復号するように構成されている（例えば、特許文献１参照）。
【特許文献１】特開２００４−１７９９９０号公報  しかしながら、従来の無線基地局は、再逆拡散を行う必要があるために、図１０に示すような複雑な装置構成や複雑な制御が必要であった。
【０００９】  更に、最小の拡散率を用いて得られる逆拡散信号のシンボル数は、ＴＦＳにおける最小の拡散率が小さいほど多くなり、必要とするバッファの容量が多くなってしまう。また、最大伝送速度が高速なＴＦを用いるＤＰＤＣＨが多くなるほど、必要とするバッファの容量が多くなってしまう。【００１０】  しかし、バッファの容量は固定されているため、最大伝送速度を高速にした場合には、無線基地局に接続可能な移動局の数が制限されてしまう。反対に、移動局の接続数を増やした場合には、最大伝送速度を小さくする必要が生じる。【００１１】  容量の大きいバッファを設ければ、移動局の接続数及び最大伝送速度の両方を大きくすることはできるものの、装置規模の増大を招いてしまう。【００１２】  また、最初に最大伝送速度が比較的低いＴＦＳを個別チャネルに割り当て、その後、使用されるＴＦが最大伝送速度となる時間が長い個別チャネルについてＴＦＳの更新を行い、最大伝送速度を高速にさせることもできる。【００１３】  しかし、この場合には、ＴＦＳの更新について無線基地局と移動局との間でネゴーシエーションをする必要が生じ、無線基地局や無線回線制御局がバッファの容量の割り当てに関する複雑な管理を行う必要が生じるといった新たな問題を招いてしまう。
【発明の開示】
【００１４】  そこで、本発明は、以上の点に鑑みてなされたもので、装置構成や制御の複雑化を招くことなく、移動局の接続数の向上を図ることが可能な無線基地局、無線回線制御局、移動通信システム及び移動通信方法を提供することを目的とする。
【００１５】  本発明の第１の特徴は、無線基地局であって、受信したオーバーサンプリングされたベースバンド信号を格納する信号格納部と、前記ベースバンド信号の伝送形式を判定する形式判定部と、該形式判定部による判定後に、前記信号格納部に格納されている前記ベースバンド信号を、前記形式判定部により判定された伝送形式に従って逆拡散する逆拡散部とを備えることを要旨とする。
【００１６】  本発明の第１の特徴において、前記判定された伝送形式に基づいて、前記受信したベースバンド信号の伝送速度の合計値を計算し、該伝送速度の合計値に応じて前記逆拡散を行う前記ベースバンド信号を選択する信号選択部を備え、前記逆拡散部は、前記信号選択部により選択されたベースバンド信号を逆拡散するように構成されていてもよい。
【００１７】  本発明の第１の特徴において、前記信号選択部は、前記伝送速度の合計値が合計値閾値未満である場合、全てのベースバンド信号について逆拡散するように構成されていてもよい。
【００１８】  本発明の第１の特徴において、前記伝送速度の合計値に基づいて、前記伝送速度の変更を移動局に指示する伝送速度制御部を備えていてもよい。
【００１９】  本発明の第２の特徴は、無線回線制御局であって、無線基地局が備える受信したオーバーサンプリングされたベースバンド信号を格納する信号格納部の蓄積量を用いることなく、前記無線基地局と移動局との間の干渉量に基づいて、前記移動局に関する呼の受付又は前記ベースバンド信号の伝送速度の少なくとも１つを制御する制御部を備えることを要旨とする。
【００２０】  本発明の第３の特徴は、移動通信システムであって、受信したオーバーサンプリングされたベースバンド信号を格納する信号格納部を備え、前記ベースバンド信号の伝送形式を判定し、該判定後に、前記信号格納部に格納されている前記ベースバンド信号を、判定された前記伝送形式に従って逆拡散する無線基地局と、前記信号格納部の蓄積量を用いることなく、前記無線基地局と移動局との間の干渉量に基づいて、前記移動局に関する呼の受付又は前記ベースバンド信号の伝送速度の少なくとも１つを制御する無線回線制御局とを備えることを要旨とする。
【００２１】  本発明の第４の特徴は、移動通信方法であって、信号格納部に、受信したオーバーサンプリングされたベースバンド信号を格納し、前記ベースバンド信号の伝送形式を判定し、該判定後に、前記信号格納部に格納されている前記ベースバンド信号を、判定された前記伝送形式に従って逆拡散することを要旨とする。
【図面の簡単な説明】
【００２２】
【図１】図１は、従来の無線基地局の構成を示すブロック図である。
【図２】図２は、本発明の一実施形態に係る移動通信システムの構成を示す図である。
【図３】図３は、本発明の一実施形態に係る無線基地局の構成を示すブロック図である。
【図４】図４は、本発明の一実施形態に係る送受信部の構成を示すブロック図である。
【図５】図５（ａ）乃至図５（ｆ）は、本発明の一実施形態に係る送受信部における信号処理を説明するための図である。
【図６】図６は、本発明の一実施形態に係るベースバンド信号処理部の構成を示すブロック図である。
【図７】図７は、本発明の一実施形態に係るＤＰＣＣＨ及びＤＰＤＣＨを示す図である。
【図８】図８は、本発明の一実施形態に係るＴＦＳの一例を示す図である。
【図９】図９は、本発明の一実施形態に係る無線回線制御局の構成を示す図である。
【図１０】図１０は、本発明の一実施形態に係る無線基地局の処理手順を示すフロー図である。
【図１１】図１１は、本発明の一実施形態に係る無線回線制御局の呼の受付制御手順を示す図である。
【図１２】図１２は、本発明の一実施形態に係る無線回線制御局の伝送速度制御手順を示す図である。
【発明を実施するための最良の形態】
【００２３】〔移動通信システム〕
図２に示すように、移動通信システム１００は、複数の移動局１０ａ，１０ｂ，１０ｃと、無線基地局２０と、無線回線制御局３０と、交換機網４０とを備える。移動通信システム１００は、移動局１０ａ〜１０ｃと無線基地局２０との間の無線アクセス方式として、ＣＤＭＡ（Ｃｏｄｅ  Ｄｉｖｉｓｉｏｎ  Ｍｕｌｔｉｐｌｅ  Ａｃｃｅｓｓ）を用いる。【００２４】  移動局１０ａ〜１０ｃは、それぞれ、無線チャネル５０ａ〜５０ｃを用いて無線基地局２０とユーザデータや制御データを送受信する。無線チャネルには、移動局１０ａ〜１０ｃから無線基地局２０にデータを送信する上りリンクチャネルと、無線基地局２０から移動局１０ａ〜１０ｃにデータを送信する下りリンクチャネルがある。また、無線チャネルには、各移動局１０ａ〜１０ｃに個別の個別チャネルと、複数の移動局１０ａ〜１０ｃに共通する共通チャネルとがある。【００２５】  無線基地局２０は、移動局１０ａ〜１０ｃと無線通信を行う。無線回線制御局３０は、移動局１０ａ〜１０ｃと無線基地局２０との間の無線通信を制御する。無線回線制御局３０は、無線基地局２０の上位に位置する。交換機網４０は、交換機を含むコアネットワークである。【００２６】  次に、無線基地局２０の構成について詳細に説明する。図３に示すように、無線基地局２０は、ＨＷＹインターフェース２０ａと、ベースバンド信号処理部２０ｂと、制御部２０ｃと、送受信部２０ｄと、アンプ部２０ｅと、送受信アンテナ２０ｆとを備える。【００２７】  ＨＷＹインターフェース２０ａは、無線回線制御局３０とのインターフェースである。【００２８】  具体的には、ＨＷＹインターフェース２０ａは、移動局１０ａ〜１０ｃに送信するユーザデータや無線基地局２０に対する制御信号を、無線回線制御局３０から受信するように構成されている。【００２９】  また、ＨＷＹインターフェース２０ａは、受信したユーザデータをベースバンド信号処理部２０ｂに入力し、受信した制御信号を制御部２０ｃに入力するように構成されている。【００３０】  また、ＨＷＹインターフェース２０ａは、移動局１０ａ〜１０ｃから送信され、無線基地局２０によって受信されたユーザデータを、ベースバンド信号処理部２０ｂから取得して無線回線制御局３０に送信するように構成されている。【００３１】  また、ＨＷＹインターフェース２０ａは、無線回線制御局３０に対する制御信号を、制御部２０ｃから取得して無線回線制御局３０に送信するように構成されている。【００３２】  制御部２０ｃは、呼制御、伝送速度制御等の各種制御を行うように構成されている。【００３３】  具体的には、制御部２０ｃは、移動局１０ａ〜１０ｃに送信する制御データを生成して、ベースバンド信号処理部２０ｂに入力するように構成されている。【００３４】  また、制御部２０ｃは、ＨＷＹインターフェース２０ａを介して、無線回線制御局３０との間で制御信号のやりとりを行うように構成されている。【００３５】  また、制御部２０ｃは、無線回線制御局３０からの伝送速度や呼処理に関する制御信号に基づいて、制御データを生成して、移動局１０ａ〜１０ｃを制御する用に構成されている。【００３６】  また、制御部２０ｃは、無線基地局２０におけるベ���スバンド信号処理部２０ｂや送受信部２０ｄの状態管理や、レイヤ３によるハードウェアのリソース割当等を行うように構成されている。【００３７】  ベースバンド信号処理部２０ｂは、移動局１０ａ〜１０ｃに送信するユーザデータ及び制御データに対する信号処理や、移動局１０ａ〜１０ｃから受信したベースバンド信号に対する信号処理を行うように構成されている。【００３８】  具体的には、ベースバンド信号処理部２０ｂは、移動局１０ａ〜１０ｃに送信するデータについて、例えば、誤り訂正符号化、データ変調、拡散等を行うように構成されている。【００３９】  また、ベースバンド信号処理部２０ｂは、移動局１０ａ〜１０ｃから受信したベースバンド信号について、逆拡散、ＲＡＫＥ合成、誤り訂正復号等を行うように構成されている。【００４０】  なお、ベースバンド信号処理部２０ｂによって行われる信号処理は、レイヤ１における信号処理である。【００４１】  ベースバンド信号処理部２０ｂは、ＨＷＹインターフェース２０ａからユーザデータを取得し、制御部２０ｃから制御データを取得して、信号処理を行い、信号処理後のベースバンド信号を送受信部２０ｄに入力するように構成されている。【００４２】  また、ベースバンド信号処理部２０ｂは、送受信部２０ｄから受信したベースバンド信号を取得し、信号処理後のユーザデータをＨＷＹインターフェース２０ａに入力し、信号処理後の制御データを制御部２０ｃに入力するように構成されている。【００４３】  送受信部２０ｄは、移動局１０ａ〜１０ｃとの間で、無線によって、ユーザデータ及び制御データを送受信するように構成されている。【００４４】  また、送受信部２０ｄは、ベースバンド信号処理部２０ｂから移動局１０ａ〜１０ｃに送信するベースバンド信号を取得して、無線周波数帯域の信号に変換するように構成されている。【００４５】  また、送受信部２０ｄは、変換後の信号をアンプ部２０ｅに入力し、アンプ部２０ｅ及び送受信アンテナ２０ｆを介して移動局１０ａ〜１０ｃに信号を送信する用に構成されている。【００４６】  また、送受信部２０ｄは、送受信アンテナ２０ｆ及びアンプ部２０ｅを介して、移動局１０ａ〜１０ｃからの信号を受信する用に構成されている。【００４７】  また、送受信部２０ｄは、受信した信号をベースバンド信号に変換し、ベースバンド信号処理部２０ｂに入力するように構成されている。【００４８】  また、送受信部２０ｄは、移動局１０ａ〜１０ｃとの間の無線チャネル５０ａ〜５０ｃにおける干渉量を測定するように構成されている。【００４９】  ここで、送受信部２０ｄは、干渉量として、例えば、干渉電力や、ＣＩＲ（Ｃａｒｒｉｅｒ  ｔｏ  Ｉｎｔｅｒｆｅｒｅｎｃｅ  Ｒａｔｉｏ）や、ＳＩＲ（Ｓｉｇｎａｌ  ｔｏ  Ｉｎｔｅｒｆｅｒｅｎｃｅ  Ｒａｔｉｏ）や、ＳＮ（Ｓｉｇｎａｌ  ｔｏ  Ｎｏｉｓｅ）比等を測定できる。そして、送受信部２０ｄは、干渉量の測定値を制御部２０ｃに入力するように構成されている。【００５０】  アンプ部２０ｅは、送受信部２０ｄから移動局１０ａ〜１０ｃへの信号を取得して増幅して、送受信アンテナ２０ｆを介して移動局１０ａ〜１０ｃに送信する用に構成されている。【００５１】  また、アンプ部２０ｅは、送受信アンテナ２０ｆが受信した信号を増幅して、送受信部２０ｄに入力するように構成されている。【００５２】  図４及び図５を参照して、送受信部２０ｄについて、より詳細に説明する。図４に示すように、送受信部２０ｄは、周波数変換部２０ｄ１と、バンドバスフィルタ２０ｄ２と、周波数変換部２０ｄ３と、標本化量子化部２０ｄ４とを具備している。【００５３】  周波数変換部２０ｄ１は、アンテナ２０ｆ及びアンプ２０ｅから受信したＲＦ信号Ａ（図５（ａ）参照）に対して、無線周波数帯から中間周波数帯にダウンコンバートを施して、ＩＦ信号Ｂ（図５（ｂ）参照）を出力するように構成されている。【００５４】  バンドパスフィルタ２０ｄ２は、ＩＦ信号Ｂから、所望の信号が重畳されている周波数の信号のみを抽出して、ＩＦ信号Ｃ（図５（ｃ）参照）を出力するように構成されている。【００５５】  周波数変換部２０ｄ３は、ＩＦ信号Ｃを、連続的なアナログのベースバンド信号であるＩＦ信号（連続値）Ｄ（図５（ｄ）及び図５（ｅ）参照）に変換して出力するように構成されている。【００５６】  標本化量子化部２０ｄ４は、ＩＦ信号（連続値）Ｄを、離散的なデジタルのベースバンド信号であるＢＢ信号（離散値）Ｅ（図５（ｆ）参照）に変換して出力するように構成されている。【００５７】  このようにして、送受信部２０ｄは、オーバーサンプリングされたベースバンド信号を生成して、ベースバンド信号処理部２０ｂのバッファ２６に格納する。【００５８】  次に、ベースバンド信号処理部２０ｂについて、より詳細に説明する。図６に、ベースバンド信号処理部２０ｂにおける受信機能部分を示す。図６に示すように、ベースバンド信号処理部２０ｂは、ＤＰＣＣＨ復号部２１と、ＤＰＤＣＨ復号部２５とを備える。【００５９】  ＤＰＣＣＨ復号部２１は、ＤＰＣＣＨ（Ｄｅｄｉｃａｔｅｄ  Ｐｈｙｓｉｃａｌ  Ｃｏｎｔｒｏｌ  Ｃｈａｎｎｅｌ）により受信した制御データを含むベースバンド信号の処理を行うように構成されている。【００６０】  ＤＰＤＣＨ復号部２５は、ＤＰＤＣＨ（Ｄｅｄｉｃａｔｅｄ  Ｐｈｙｓｉｃａｌ  ｄａｔａ  Ｃｈａｎｎｅｌ）により受信したユーザデータを含むベースバンド信号の処理を行うように構成されている。【００６１】  ＤＰＣＣＨ及びＤＰＤＣＨは、移動局１０ａ〜１０ｃ毎に個別の個別チャネルであって、上りリンクチャネルである。図７に、ＤＰＤＣＨ１及びＤＰＣＣＨ２の構成を示す（３ＧＰＰ  ＴＳ  ２５．２１１  Ｖ５．５．０参照）。【００６２】  図７に示すように、１無線フレーム（Ｔｆ＝１０ｍｓ）は、１５個のスロット＃０〜＃１４（Ｔｓｌｏ  ｔ＝２５６０ｃｈｉｐｓ、１０ｂｉｔｓ）に分割されている。【００６３】  ＤＰＣＣＨ２は、制御データの送信に用いられる。例えば、ＤＰＣＣＨ２には、制御データとして、パイロットシンボル（Ｐｉｌｏｔ）や、ＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）や、フィードバック情報（ＦＢＩ）や、送信電力制御コマンド（ＴＰＣ）等がマッピングされる。【００６４】  ＤＰＤＣＨ１は、ユーザデータの送信に用いられる。ＤＰＤＣＨ１には、ユーザデータがマッピングされる。【００６５】  ここで、ＴＦＣＩは、ユーザデータの伝送形式（ＴＦ：Ｔｒａｎｓｐｏｒｔ  Ｆｏｒｍａｔ）を示す伝送形式識別子である。【００６６】  図８に、伝送形式（ＴＦ）のセット（ＴＦＳ：Ｔｒａｎｓｐｏｒｔ  Ｆｏｒｍａｔ  Ｓｅｔ）の一例を示す。図８は、最大伝送速度が４０ｋｂｐｓのＴＦＳを示す。【００６７】  また、図８の例では、３ＧＰＰで標準化されているＷ−ＣＤＭＡと同様に、チップレートを３．８４Ｍｂｐｓ、誤り訂正符号化率を１／３、変調方式をＢＰＳＫ（Ｂｉｎａｒｙ  Ｐｈａｓｅ  ｓｈｉｆｔ  Ｋｅｙｉｎｇ）、誤り訂正符号化単位（ｆｒａｍｅ）を１０ｍｓとしている。【００６８】  図８に示すＴＦＳは、５種類の伝送形式（ＴＦ）を有する。「ＴＦＣＩ：ＴＦ＃０」は、ユーザデータの送信がない場合を示す。伝送形式（ＴＦ）は、拡散率（ＳＦ：Ｓｐｒｅａｄｉｎｇ  Ｆａｃｔｏｒ）と、１無線フレーム当たりのシンボル数（シンボル／フレーム）と、伝送速度とによって規定されている。各伝送形式（ＴＦ）には、ＴＦＣＩが付与されている。【００６９】  伝送形式（ＴＦ）は、移動局１０ａ〜１０ｃによって、移動局１０ａ〜１０ｃの送信バッファに蓄積されているデータ量に基づいて選択される。【００７０】  例えば、送信バッファにユーザデータがない場合には、「ＴＦＣＩ：ＴＦ＃０」が選択される。送信バッファに大量のユーザデータ（例えば１Ｍｂｉｔｓ）が蓄積されているには、最大伝送速度４０ｋｂｐｓとなる「ＴＦＣＩ：ＴＦ＃４」が選択される。【００７１】  移動局１０ａ〜１０ｃは、ＤＰＣＣＨ２により、用いた伝送形式（ＴＦ）を示すＴＦＣＩをアウトバンドで送信する。【００７２】  図６に示すＤＰＣＣＨ復号部２１には、送受信部２０ｄがＤＰＣＣＨにより受信し、オーバーサンプリングされた逆拡散前のベースバンド信号が入力される。【００７３】  ＤＰＤＣＨ復号部２５には、送受信部２０ｄがＤＰＤＣＨにより受信し、オーバーサンプリングされた逆拡散前のベースバンド信号が入力される。【００７４】  このように、ベースバンド信号は、ユーザデータを含むＤＰＤＣＨと、制御データを含むＤＰＣＣＨとに分岐され、それぞれ処理が行われる。【００７５】  ＤＰＣＣＨ復号部２１は、ＤＰＣＣＨ＃１逆拡散部２２１乃至ＤＰＣＣＨ＃ｎ逆拡散部２２ｎと、ＤＰＣＣＨ＃１ＲＡＫＥ合成部２３１乃至ＤＰＣＣＨ＃ｎＲＡＫＥ合成部２３ｎと、ＤＰＣＣＨ＃１制御データ復号部２４１乃至ＤＰＣＣＨ＃ｎ制御データ復号部２４ｎとを備える。【００７６】  ＤＰＣＣＨ＃１逆拡散部２２１乃至ＤＰＣＣＨ＃ｎ逆拡散部２２ｎ、ＤＰＣＣＨ＃１ＲＡＫＥ合成部２３１乃至ＤＰＣＣＨ＃ｎＲＡＫＥ合成部２３ｎ、及び、ＤＰＣＣＨ＃１制御データ復号部２４１乃至ＤＰＣＣＨ＃ｎ制御データ復号部２４ｎは、ＤＰＣＣＨ＃１〜ＤＰＣＣＨ＃ｎ毎に設けられる。【００７７】  ＤＰＣＣＨ＃１逆拡散部２２１乃至ＤＰＣＣＨ＃ｎ逆拡散部２２ｎは、それぞれ、ＤＰＣＣＨ＃１〜ＤＰＣＣＨ＃ｎにより受信したベースバンド信号を逆拡散するように構成されている。【００７８】  また、ＤＰＣＣＨ＃１逆拡散部２２１乃至ＤＰＣＣＨ＃ｎ逆拡散部２２ｎは、逆拡散により得られた複数のシンボルを、それぞれ、ＤＰＣＣＨ＃１ＲＡＫＥ合成部２３１乃至ＤＰＣＣＨ＃ｎＲＡＫＥ��成部２３ｎに入力するように構成されている。【００７９】  ＤＰＣＣＨ＃１ＲＡＫＥ合成部２３１乃至ＤＰＣＣＨ＃ｎＲＡＫＥ合成部２３ｎは、それぞれ、ＤＰＣＣＨ＃１逆拡散部２２１乃至ＤＰＣＣＨ＃ｎ逆拡散部２２ｎから入力されたシンボルをＲＡＫＥ合成するように構成されている。【００８０】  ＤＰＣＣＨ＃１ＲＡＫＥ合成部２３１乃至ＤＰＣＣＨ＃ｎＲＡＫＥ合成部２３ｎは、それぞれ、合成後の制御信号を、ＤＰＣＣＨ＃１制御データ復号部２４１乃至ＤＰＣＣＨ＃ｎ制御データ復号部２４ｎに入力するように構成されている。【００８１】  ＤＰＣＣＨ＃１制御データ復号部２４１乃至ＤＰＣＣＨ＃ｎ制御データ復号部２４ｎは、それぞれ、ＤＰＣＣＨ＃１ＲＡＫＥ合成部２３１乃至ＤＰＣＣＨ＃ｎＲＡＫＥ合成部２３ｎから入力された制御信号を復号し、制御データを得るように構成されている。【００８２】  これにより、無線基地局２０が接続している各ＤＰＣＣＨ＃１乃至ＤＰＣＣＨ＃ｎのＴＦＣＩ＃１乃至ＴＦＣＩ＃ｎが復号される。【００８３】  以上のようにして、ＤＰＣＣＨ復号部２１は、ＤＰＣＣＨにより受信したベースバンド信号から、伝送形式（ＴＦ）を示すＴＦＣＩを得ることにより、伝送形式（ＴＦ）を判定する。【００８４】  このようにして、ＤＰＣＣＨ復号部２１は、送受信部２０ｄが受信したベースバンド信号の伝送形式（ＴＦ）を判定する形式判定部として機能する。【００８５】  ＤＰＣＣＨ＃１制御データ復号部２４１乃至ＤＰＣＣＨ＃ｎ制御データ復号部２４ｎは、ＴＦＣＩ＃１〜ＴＦＣＩ＃ｎを含む制御データを、ＤＰＤＣＨ復号部２５に入力するように構成されている。【００８６】  ＤＰＤＣＨ復号部２５は、バッファ２６と、信号選択部２６ａと、ＤＰＤＣＨ＃１逆拡散部２７１乃至ＤＰＤＣＨ＃ｎ逆拡散部２７ｎと、ＤＰＤＣＨ＃１ＲＡＫＥ合成部２８１乃至ＤＰＤＣＨ＃ｎＲＡＫＥ合成部２８ｎと、ユーザデータ復号部２９とを備える。【００８７】  バッファ２６は、送受信部２０ｄがＤＰＤＣＨにより受信したベースバンド信号が格納される信号格納部である。なお、送受信部２０ｄは、ＤＰＤＣＨにより受信し、オーバーサンプリングした逆拡散前のベースバンド信号をバッファ２６に格納するように構成されている。【００８８】  バッファ２６は、ＤＰＤＣＨのＴＴＩ（Ｔｒａｎｓｍｉｔ  Ｔｉｍｉｎｇ  Ｉｎｔｅｒｖａｌ）以上の間、ベースバンド信号を保持する（バッファリングする）ように構成されている。ここで、ＴＴＩは、送信ブロックの時間長である。【００８９】  ＤＰＤＣＨ＃１逆拡散部２７１乃至ＤＰＤＣＨ＃ｎ逆拡散部２７ｎ、及び、ＤＰＤＣＨ＃１ＲＡＫＥ合成部２８１乃至ＤＰＤＣＨ＃ｎＲＡＫＥ合成部２８ｎは、ＤＰＤＣＨ＃１〜ＤＰＤＣＨ＃ｎ毎に設けられる。【００９０】  ＤＰＤＣＨ＃１逆拡散部２７１乃至ＤＰＤＣＨ＃ｎ逆拡散部２７ｎ、及び、ＤＰＤＣＨ＃１ＲＡＫＥ合成部２８１乃至ＤＰＤＣＨ＃ｎＲＡＫＥ合成部２８ｎは、それぞれ、ＤＰＣＣＨ復号部２１からＤＰＤＣＨ＃１〜ＤＰＤＣＨ＃ｎに対応するＤＰＣＣＨ＃１〜ＤＰＣＣＨ＃ｎの制御データを取得するように構成されている。【００９１】  ＤＰＤＣＨ＃１逆拡散部２７１乃至ＤＰＤＣＨ＃ｎ逆拡散部２７ｎ、ＤＰＤＣＨ＃１ＲＡＫＥ合成部２��１乃至ＤＰＤＣＨ＃ｎＲＡＫＥ合成部２８ｎ、及び、ユーザデータ復号部２９は、ＤＰＣＣＨ復号部２１から復号後の制御データを取得すると、取得した制御データを用いて処理を行うように構成されている。【００９２】  すなわち、制御データとしてＴＦＣＩが判定された後に、逆拡散処理、ＲＡＫＥ合成処理及び誤り訂正復号処理が行われるように構成されている。【００９３】  また、ＤＰＤＣＨ＃１逆拡散部２７１乃至ＤＰＤＣＨ＃ｎ逆拡散部２７ｎ、ＤＰＤＣＨ＃１ＲＡＫＥ合成部２８１乃至ＤＰＤＣＨ＃ｎＲＡＫＥ合成部２８ｎ、ユーザデータ復号部２９、及び、信号選択部２６ａは、図８に示したようなＴＦＳに関する情報を予め保持するように構成されている。【００９４】  そして、ＤＰＤＣＨ＃１逆拡散部２７１乃至ＤＰＤＣＨ＃ｎ逆拡散部２７ｎ、ＤＰＤＣＨ＃１ＲＡＫＥ合成部２８１乃至ＤＰＤＣＨ＃ｎＲＭＥ合成部２８ｎ、ユーザデータ復号部２９、及び、信号選択部２６ａは、保持するＴＦＳを参照することにより、ＴＦＣＩ＃１〜ＴＦＣＩ＃ｎが示す具体的な伝送形式（ＴＦ）の内容を求めることができる。【００９５】  ＤＰＤＣＨ＃１逆拡散部２７１乃至ＤＰＤＣＨ＃ｎ逆拡散部２７ｎは、それぞれ、ＤＰＤＣＨ＃１〜ＤＰＤＣＨ＃ｎにより受信したベースバンド信号を逆拡散するように構成されている。【００９６】  また、ＤＰＤＣＨ＃１逆拡散部２７１乃至ＤＰＤＣＨ＃ｎ逆拡散部２７ｎは、それぞれ、ＤＰＣＣＨ復号部２１から取得したＤＰＣＣＨ＃１〜ＤＰＣＣＨ＃ｎの制御データに含まれるＴＦＣＩ＃１〜ＴＦＣＩ＃ｎを用いて逆拡散を行う用に構成されている。【００９７】  具体的には、ＤＰＤＣＨ＃１逆拡散部２７１乃至ＤＰＤＣＨ＃ｎ逆拡散部２７ｎは、ＴＦＣＩ＃１〜ＴＦＣＩ＃ｎが示す伝送形式（ＴＦ）の拡散率（ＳＦ）を用いて逆拡散を行う。【００９８】  ＤＰＤＣＨ＃１逆拡散部２７１乃至ＤＰＤＣＨ＃ｎ逆拡散部２７ｎは、それぞれ、ＤＰＣＣＨ復号部２１からＴＦＣＩ＃１〜ＴＦＣＩ＃ｎを取得すると、バッファ２６からＤＰＤＣＨ＃１〜ＤＰＤＣＨ＃ｎにより受信したベースバンド信号を取得するように構成されている。【００９９】  そして、ＤＰＤＣＨ＃１逆拡散部２７１乃至ＤＰＤＣＨ＃ｎ逆拡散部２７ｎは、それぞれ、ＴＦＣＩ＃１〜ＴＦＣＩ＃ｎが示す伝送形式（ＴＦ）に従って、サンプリングデータを抽出して逆拡散を行うように構成されている。【０１００】  このように、ＤＰＤＣＨ＃１逆拡散部２７１乃至ＤＰＤＣＨ＃ｎ逆拡散部２７ｎは、ＤＰＣＣＨ復号部２１による伝送形式（ＴＦ）の判定後に、バッファ２６に格納されているベースバンド信号を、ＤＰＣＣＨ復号部２１により判定されたＴＦＣＩが示す伝送形式（ＴＦ）に従って逆拡散する逆拡散部として機能する。【０１０１】  また、ＤＰＤＣＨ＃１逆拡散部２７１乃至ＤＰＤＣＨ＃ｎ逆拡散部２７ｎは、逆拡散により得られた複数のシンボルを、それぞれ、ＤＰＤＣＨ＃１ＲＡＫＥ合成部２８１乃至ＤＰＤＣＨ＃ｎＲＡＫＥ合成部２８ｎに入力するように構成されている。【０１０２】  ＤＰＤＣＨ＃１ＲＡＫＥ合成部２８１乃至ＤＰＤＣＨ＃ｎＲＡＫＥ合成部２８ｎは、それぞれ、ＤＰＤＣＨ＃１逆拡散部２７１乃至ＤＰＤＣＨ＃ｎ逆拡散部２７ｎから入力されたシンボルを���ＡＫＥ合成するように構成されている。【０１０３】  ＤＰＤＣＨ＃１ＲＡＫＥ合成部２８１乃至ＤＰＤＣＨ＃ｎＲＡＫＥ合成部２８ｎは、それぞれ、ＤＰＣＣＨ復号部２１から取得したＴＦＣＩ＃１〜ＴＦＣＩ＃ｎが示す伝送形式（ＴＦ）に従ってＲＡＫＥ合成を行うように構成されている。【０１０４】  ＤＰＤＣＨ＃１ＲＡＫＥ合成部２８１乃至ＤＰＤＣＨ＃ｎＲＡＫＥ合成部２８ｎは、合成後のユーザデータ信号をユーザデータ復号部２９に入力するように構成されている。【０１０５】  ユーザデータ復号部２９は、ＤＰＤＣＨ＃１ＲＡＫＥ合成部２８１乃至ＤＰＤＣＨ＃ｎＲＡＫＥ合成部２８ｎから入力されたユーザデータ信号の誤り訂正復号を行い、ユーザデータを得るように構成されている。【０１０６】  具体的には、ユーザデータ復号部２９は、ＤＰＣＣＨ復号部２１から取得したＴＦＣＩ＃１〜ＴＦＣＩ＃ｎが示す伝送形式（ＴＦ）に従って、各ＤＰＤＣＨのユーザデータ信号の誤り訂正復号を行うように構成されている。【０１０７】  また、ユーザデータ復号部２９は、復号後のユーザデータをＨＷＹインターフェース２０ａに入力するように構成されている。ここで、ユーザデータは、上位レイヤ機能に転送される。【０１０８】  このとき、信号選択部２６ａが、ＤＰＣＣＨ復号部２１から、ＤＰＤＣＨ＃１〜ＤＰＤＣＨ＃ｎに対応するＴＦＣＩ＃１〜ＴＦＣＩ＃ｎを取得してもよい。【０１０９】  また、信号選択部２６ａは、判定された伝送形式（ＴＦ）に基づいて、受信したベースバンド信号の伝送速度の合計値を計算するように構成されている。【０１１０】  また、信号選択部２６ａは、伝送速度の合計値に応じて逆拡散を行うベースバンド信号を選択するように構成されている。【０１１１】  また、信号選択部２６ａは、取得したＴＦＣＩ＃１〜ＴＦＣＩ＃ｎに基づいて、ＴＦＣＩ＃１〜ＴＦＣＩ＃ｎが示す伝送形式（ＴＦ）の伝送速度を判定するように構成されている。これにより、信号選択部２６ａは、送受信部２０ｄが各ＤＰＤＣＨ＃１〜ＤＰＤＣＨ＃ｎにより受信したベースバンド信号の伝送速度を判定できる。【０１１２】  また、信号選択部２６ａは、受信したベースバンド信号の伝送速度の合計値を計算するように構成されている。即ち、信号選択部２６ａは、各ＤＰＤＣＨ＃１〜ＤＰＤＣＨ＃ｎにより受信したベースバンド信号の合計値を計算するように構成されている。【０１１３】  また、信号選択部２６ａは、ＤＰＤＣＨ＃１〜ＤＰＤＣＨ＃ｎにより受信した全てのベースバンド信号について、信号処理を行うか否かを判断するための伝送速度の合計値の閾値（以下「合計値閾値」という）を予め保持するように構成されている。【０１１４】  伝送速度の合計値閾値は、ＤＰＤＣＨ＃１逆拡散部２７１乃至ＤＰＤＣＨ＃ｎ逆拡散部２７ｎ、ＤＰＤＣＨ＃１ＲＡＫＥ合成部２８１乃至ＤＰＤＣＨ＃ｎＲＡＫＥ合成部２８ｎ、又は、ユーザデータ復号部２９の少なくとも１つの処理能力等に基づいて規定できる。【０１１５】  信号選択部２６ａは、伝送速度の合計値と合計値閾値とを比較するように構成されている。【０１１６】  ここで、信号選択部２６ａは、伝送速度の合計値が合計値閾値未満の場合には、ＤＰＤＣＨ＃１〜ＤＰＤＣＨ＃ｎにより受信した全てのベースバンド信号について信号処理を行うと判断し、全てのベースバンド信号を、逆拡散を行うベースバンド信号として選択するように構成されている。【０１１７】  また、信号選択部２６ａは、伝送速度の合計値が合計値閾値以上の場合には、ＤＰＤＣＨ＃１〜ＤＰＤＣＨ＃ｎにより受信した全てのベースバンド信号については信号処理を行わないと判断し、いくつかのＤＰＤＣＨによるベースバンド信号を逆拡散を行うベースバンド信号として選択するように構成されている。【０１１８】  信号選択部２６ａは、逆拡散を行うベースバンド信号を、無作為に選択してもよく、予め規定されたＤＰＤＣＨの優先順位に基づいて選択してもよく、予め規定されたＤＰＤＣＨの選択順序に基づいて順番に選択してもよい。【０１１９】  信号選択部２６ａは、選択結果に基づいてＤＰＤＣＨ＃１逆拡散部２７１乃至ＤＰＤＣＨ＃ｎ逆拡散部２７ｎを制御するように構成されている。具体的には、信号選択部２６ａは、選択されたＤＰＤＣＨのベースバンド信号の処理を行うＤＰＤＣＨ＃１逆拡散部２７１乃至ＤＰＤＣＨ＃ｎ逆拡散部２７ｎに、逆拡散を行うように指示する。【０１２０】  この場合、ＤＰＤＣＨ＃１逆拡散部２７１乃至ＤＰＤＣＨ＃ｎ逆拡散部２７ｎは、信号選択部２６ａから指示を受けた場合にだけ逆拡散を行うようにできる。【０１２１】  このように、ＤＰＤＣＨ＃１逆拡散部２７１乃至ＤＰＤＣＨ＃ｎ逆拡散部２７ｎは、信号選択部２６ａにより選択されたベースバンド信号を逆拡散する。そして、逆拡散を行ったＤＰＤＣＨ＃１逆拡散部２７１乃至ＤＰＤＣＨ＃ｎ逆拡散部２７ｎだけが、逆拡散後のシンボルをＤＰＤＣＨ＃１ＲＡＫＥ合成部２８１乃至ＤＰＤＣＨ＃ｎＲＡＫＥ合成部２８ｎに入力する。【０１２２】  そのため、ＤＰＤＣＨ＃１ＲＡＫＥ合成部２８１乃至ＤＰＤＣＨ＃ｎＲＭＥ合成部２８ｎも、信号選択部２６ａによって選択されたベースバンド信号についてのみＲＡＫＥ合成を行うことになる。同様に、ユーザデータ復号部２９も、信号選択部２６ａによって選択されたベースバンド信号についてのみ誤り訂正復号を行う。【０１２３】  なお、伝送速度の合計値閾値は、ＤＰＤＣＨ＃１逆拡散部２７１乃至ＤＰＤＣＨ＃ｎ逆拡散部２７ｎ、ＤＰＤＣＨ＃１ＲＡＫＥ合成部２８１乃至ＤＰＤＣＨ＃ｎＲＡＫＥ合成部２８ｎ、ユーザデータ復号部２９の処理能力に基づいて、ＤＰＤＣＨ復号部２５が処理可能なデータ量の最大値に応じて決定することが好ましい。【０１２４】  このように、信号選択部２６ａは、逆拡散処理、ＲＡＫＥ合成処理、誤り訂正復号処理を、全てのＤＰＤＣＨにより受信したベースバンド信号について行うことができないと判断した場合、逆拡散すべきＤＰＤＣＨによるベースバンド信号を選択し、選択したＤＰＤＣＨにより受信したベースバンド信号についてのみ、逆拡散処理、ＲＡＫＥ合成処理、誤り訂正復号処理を行うことができる。【０１２５】  これによれば、信号選択部２６ａは、ＤＰＤＣＨ復号部２５が最大限処理可能な分だけベースバンド信号を選択できる。よって、無線基地局２０は、自身が備えるハードウェアリソースを最大限利用して、可能な限りユーザデータを復号することができる。【０１２６】  そのため、信号選択部２６ａによって���択されなかったベースバンド信号は復号されず、そのユーザデータは欠損することになるが、そのようなユーザデータの欠損を無線基地局２０は可能な限り低減できる。【０１２７】  なお、伝送速度の合計値が合計値閾値以上の状況において受信したユーザデータは、干渉量（ノイズライズ）が高い場合が多い。よって、誤り訂正復号が成功する確率が通常よりも低くなる可能性が高い。よって、多少のユーザデータの欠損は深刻な問題にはならないと考えることができる。【０１２８】  更に、信号選択部２６ａは、伝送速度の合計値と合計値閾値との比較により、伝送速度の合計値が合計値閾値以上の状態が続いているか否かを判断するようにしてもよい。【０１２９】  すなわち、信号選択部２６ａは、ＤＰＤＣＨ＃１〜ＤＰＤＣＨ＃ｎにより受信したベースバンド信号の伝送速度の合計値が、無線基地局２０が備える逆拡散処理能力、ＲＡＫＥ合成処理能力、誤り訂正復号処理能力を超える状態が続いているか否かを判断してもよい。【０１３０】  例えば、信号選択部２６ａは、伝送速度の合計値が合計値閾値以上である回数や時間を測定し、その測定値が予め規定した回数や時間を越える場合には、そのような状態が続いていると判断するようにしてもよい。【０１３１】  かかる場合、信号選択部２６ａは、伝送速度の合計値が合計値閾値以上である状態が続いていると判断した場合には、制御部２０ｃにその判断結果を入力して通知する。【０１３２】  制御部２０ｃは、信号選択部２６ａから、伝送速度の合計値が合計値閾値以上の状態が続いていることの通知を受けると、移動局１０ａ〜１０ｃに使用する伝送形式（ＴＦ）を変更するように指示する。【０１３３】  例えば、制御部２０ｃは、使用するＴＦＳを変更するように指示する。これにより、制御部２０ｃは、各ＤＰＤＣＨ＃１〜ＤＰＤＣＨ＃ｎが用いる伝送形式（ＴＦ）を変更し、ベースバンド信号の伝送速度を変更することができる。【０１３４】  例えば、制御部２０ｃは、現在使用している伝送形式（ＴＦ）よりも伝送速度の高い伝送形式（ＴＦ）を使用するように指示する。【０１３５】  このように、制御部２０ｃは、信号選択部２６ａからの伝送速度の合計値が合計値閾値以上の状態が続いていることの通知に基づいて、伝送形式（ＴＦ）の変更を指示することにより、伝送速度の合計値に基づいて、伝送速度の変更を移動局に指示する伝送速度制御部として機能できる。【０１３６】  これによれば、干渉量（ノイズライズ）が許容値を超える場合に、無線回線制御機能により各ＤＰＤＣＨにより送信されるベースバンド信号の伝送形式（ＴＦ）を変更し、伝送速度を変更することができる。【０１３７】  なお、干渉量が許容値以下の場合は、逆拡散処理、ＲＡＫＥ合成処理、誤り訂正復号処理のリソースが不足するといった状況がないように、ＤＰＤＣＨ＃１逆拡散部２７１乃至ＤＰＤＣＨ＃ｎ逆拡散部２７ｎ、ＤＰＤＣＨ＃１ＲＡＫＥ合成部２８１乃至ＤＰＤＣＨ＃ｎＲＡＫＥ合成部２８ｎ、ユーザデータ復号部２９のハードウェアリソースを確保しておくことが好ましい。【０１３８】  また、図６に示したベースバンド信号処理部２０ｂの各構成は、ハードウェアとして分割されてもよく、プロセッサ上のプログラムによりソフ���ウェアやプロセスとして分割されてもよい。【０１３９】  次に、無線回線制御局３０についてより詳細に説明する。図９に示すように、無線回線制御局３０は、インターフェース３０ａと、制御部３０ｂと、インターフェース３０ｃとを備える。【０１４０】  インターフェース３０ａは、無線基地局２０とのインターフェースである。インターフェース３０ａは、無線基地局２０と制御信号やユーザデータを送受信するように構成されている。【０１４１】  インターフェース３０ｃは、交換機網４０とのインターフェースである。インターフェース３０ｃは、交換機網４０とユーザデータや制御信号の送受信等を行うように構成されている。【０１４２】  制御部３０ｂは、無線基地局２０が備えるバッファ２６の蓄積量を用いることなく、無線基地局２０と移動局１０ａ〜１０ｃとの間の干渉量に基づいて、移動局１０ａ〜１０ｃに関する呼の受付や、ベースバンド信号の伝送速度を制御するように構成されている。【０１４３】  制御部３０ｂは、例えば、上りリンクチャネルにおける干渉量（上り干渉量）に基づいて呼の受付やベースバンド信号の伝送速度を制御するように構成されている。【０１４４】  制御部３０ｂは、無線回線制御局３０が管轄するエリア内に在圏する移動局１０ａ〜１０ｃからの発呼を無線基地局２０から通知された場合、移動局１０ａ〜１０ｃへの着呼を交換機網４０から通知された場合に、発呼や着呼の受付制御を行う用に構成されている。【０１４５】  制御部３０ｂは、呼の受付を許可するか否かを判断するための干渉量の閾値（以下「受付閾値」という）を保持するように構成されている。干渉量を示すパラメータには、例えば、干渉電力、ＣＩＲ、ＳＩＲ、ＳＮ比等がある。【０１４６】  制御部３０ｂは、無線基地局２０から干渉量の測定値を受信するように構成されている。無線基地局２０では、送受信部２０ｄが干渉量を測定し、制御部２０ｃが干渉量の測定値を含む制御信号を生成して無線回線制御局３０に送信する。【０１４７】  制御部３０ｂは、干渉量の測定値と受付閾値とを比較するように構成されている。【０１４８】  具体的には、制御部３０ｂは、干渉量の測定値が受付閾値未満の場合には、発呼や着呼の受付を許可する用に構成されている。一方、制御部３０ｂは、干渉量の測定値が受付閾値以上の場合には、発呼や着呼の受付を拒否する用に構成されている。【０１４９】  制御部３０ｂは、呼の受付の許可や拒否等、呼の受付制御に関する制御信号を生成し、インターフェース３０ａ及び３０ｃを介して、無線基地局２０や交換機網４０に送信するように構成されている。【０１５０】  制御部３０ｂは、呼の受付を許可する場合には、ＤＰＤＣＨ、ＤＰＣＣＨを設定するように無線基地局２０に指示する制御信号を生成するように構成されている。【０１５１】  制御部３０ｂは、伝送速度を変更するか否かを判断する干渉量の閾値（以下「変更閾値」という）を保持するように構成されている。【０１５２】  制御部３０ｂは、干渉量の測定値と変更閾値とを比較するように構成されている。具体的には、制御部３０ｂは、干渉量の測定値が変更閾値未満の場合には伝送速度を変更しないように構成されている。一方、制御部３０ｂは、干渉量の測定値が変更閾値以上の場合には伝送速度を変更するように構成されている。【０１５３】  制御部３０ｂは、伝送速度の変更を指示する制御信号を生成し、インターフェース３０ａを介して無線基地局２０に送信するように構成されている。【０１５４】  制御部３０ｂは、伝送速度を変更する場合には、伝送形式（ＴＦ）の変更を指示する制御信号を生成するように構成されている。例えば、制御部３０ｂは、ＴＦＳの変更を指示するように構成されている。【０１５５】〔移動通信方法〕
次に、移動通信方法の手順について説明する。図１０に無線基地局２０の処理手順を示す。【０１５６】  図１０に示すように、ステップＳ１０１において、無線基地局２０は、移動局１０ａ〜１０ｃから、ＤＰＣＣＨを介して制御データを含むベースバンド信号を受信し、移動局１０ａ〜１０ｃから、ＤＰＤＣＨを介してユーザデータを含むベースバンド信号を受信する。【０１５７】  ステップＳ１０２において、無線基地局２０は、ＤＰＤＣＨにより受信したベースバンド信号を、バッファ２６に格納する。【０１５８】  ステップＳ１０３において、無線基地局２０は、ＤＰＣＣＨにより受信したベースバンド信号からＴＦＣＩを復号し、ベースバンド信号の伝送形式（ＴＦ）を判定する。【０１５９】  ステップＳ１０４において、無線基地局２０は、判定された伝送形式に基づいて受信したベースバンド信号の伝送速度の合計値を計算する。【０１６０】  ステップＳ１０５において、無線基地局２０は、伝送速度の合計値に応じて逆拡散を行うベースバンド信号を選択する。【０１６１】  ステップＳ１０６において、無線基地局２０は、ＤＰＤＣＨにより受信し、バッファ２６に格納されているベースバンド信号のうち、選択されたベースバンド信号を、判定された伝送形式（ＴＦ）に従って逆拡散する。【０１６２】  無線基地局２０は、ステップＳ１０７において、逆拡散後のシンボルをＲＡＫＥ合成し、ステップＳ１０８において、ユーザデータを復号する。【０１６３】  図１１に、無線回線制御局３０が行う呼の受付制御手順を示す。【０１６４】  図１１に示すように、ステップＳ２０１において、無線回線制御局３０は、無線回線制御局３０が管轄するエリア内に在圏する移動局１０ａ〜１０ｃからの発呼や移動局１０ａ〜１０ｃへの着呼に関する通知を受ける。【０１６５】  無線回線制御局３０は、ステップＳ２０２において、無線基地局２０から干渉量の測定値を取得し、ステップＳ２０３において、干渉量の測定値と受付閾値とを比較する。【０１６６】  干渉量の測定値が受付閾値未満の場合には、ステップＳ２０４において、無線回線制御局３０は、発呼や着呼の受付を許可し、ＤＰＤＣＨやＤＰＣＣＨを設定するように無線基地局２０に指示する。【０１６７】  一方、干渉量の測定値が受付閾値以上の場合には、ステップＳ２０５において、無線回線制御局３０は、発呼や着呼の受付を拒否する。【０１６８】  図１２に、無線回線制御局３０が行う伝送速度制御手順を示す。【０１６９】  図１２に示すように、ステップＳ３０１において、無線回線制御局３０は、無線基地局２０から干渉量の測定値を取得する。【０１７０】  ステップＳ３０２において、無線回線制御局３０は、干渉量の測定値と変更閾値とを比較する（Ｓ３０２）。【０１７１】  干渉量の測定値が変更閾値未満の場合には、ステップＳ３０３において、無線回線制御局３０は、ＴＦＳの変更のような伝送速度の変更を行わない。一方、干渉量の測定値が変更閾値以上の場合には、ステップＳ３０４において、無線回線制御局３０は、ＴＦＳの変更を行って、伝送速度を変更するように無線基地局２０に指示する。【０１７２】〔効果〕
このような移動通信システム１００、無線基地局２０、無線回線制御局３０及び移動通信方法によれば、受信したベースバンド信号を、逆拡散前のオーバーサンプリングレベルでバッファ２６に格納しておくことができる。【０１７３】  そして、無線基地局２０は、伝送形式（ＴＦ）の判定後に、判定された伝送形式（ＴＦ）に従って、蓄積したベースバンド信号のサンプリングデータを抽出し、逆拡散後を行うことができる。【０１７４】  そのため、無線基地局２０は、従来必要であった再逆拡散を行う必要や、逆拡散後のシンボルを蓄積する必要がない。したがって、ＤＰＤＣＨ毎のハードウェアリソース（図１に示したバッファ２２６）を確保する必要がなく、それに伴うハードウェアリソース確保の制御手順も不要とできる。よって、無線基地局２０は、装置構成や制御の複雑化、装置規模の増大を防止して、装置の簡素化を達成でき、装置コストを削減できる。【０１７５】  しかも、移動局の接続数の向上、即ち、移動通信システム１００の通信容量の向上を図ることができる。特に、無線基地局２０は、接続する移動局数を多くすることができるため、トラヒックが少なければ、伝送速度が比較的高めの伝送形式（ＴＦ）を割り当てることにより、無線チャネル容量を増大できる。【０１７６】  また、無線基地局２０は、判定された伝送形式に基づいて、受信したベースバンド信号の伝送速度の合計値を計算し、その伝送速度の合計値に応じて逆拡散を行うベースバンド信号を選択し、選択されたベースバンド信号を逆拡散することができる。【０１７７】  これによれば、無線基地局２０は、受信したベースバンド信号の伝送速度の合計値を考慮して逆拡散するベースバンド信号を選択でき、全くベースバンド信号の逆拡散処理を行わずに破棄してしまう場合に比べ、スループットを向上できる。【０１７８】  また、無線基地局２０は、伝送速度の合計値に基づいて、伝送速度の変更を移動局に指示する伝送速度制御部を備えることが好ましい。これによれば、干渉量が許容値を超える場合等に、ベースバンド信号の伝送速度を変更することができる。【０１７９】  更に、無線回線制御局３０は、無線基地局２０のバッファ２６の容量をチャネル毎に確保する制御（ハードウェアリソースの管理）が不要となり、干渉量を考慮した呼の受付制御や伝送速度の制御が可能となる。【０１８０】  よって、無線回線制御局３０は、装置構成や制御の複雑化を招くことなく、移動局の接続数の向上を図ることができる。【０１８１】  以上、本発明を実施例により詳細に説明したが、当業者にとっては、本発明が本願中に説明した実施例に限定されるものではないということは明らかである。本発明の装置は、特許請求の範囲の記載により定まる本発明の趣旨及び範囲を逸脱することなく修正及び変更態様として実施することができる。従って、本願の記載は、例示説明を目的とするものであり、本発明に対して何ら制限的な意味を有するものではない。
【産業上の利用可能性】
【０１８２】  以上説明したように、本発明によれば、装置構成や制御の複雑化を招くことなく、移動局の接続数の向上を図ることが可能な無線基地局、無線回線制御局、移動通信システム及び移動通信方法を提供することができる。
【図１】
2006041164.tif 000002
【図２】
2006041164.tif 000003
【図３】
2006041164.tif 000004
【図４】
2006041164.tif 000005
【図５】
2006041164.tif 000006
【図６】
2006041164.tif 000007
【図７】
2006041164.tif 000008
【図８】
2006041164.tif 000009
【図９】
2006041164.tif 000010
【図１０】
2006041164.tif 000011
【図１１】
2006041164.tif 000012
【図１２】
2006041164.tif 000013
【国際調査報告】
2006041164.tif 000014
2006041164.tif 000015
2006041164.tif 000016
2006041164.tif 000017